(57)【要約】【課題】  操作性を低下させることなく、版胴上に巻装されたマスタの機密を確実に保持することが可能な孔版印刷装置を提供する。【解決手段】  装置本体８に対して着脱自在な、版胴１０を有する版胴ユニット９を具備する孔版印刷装置１において、版胴１０に巻装された製版済みマスタ１３が視認できないように版胴１０を被覆する被覆部材４６を版胴ユニット９に設けた。【選択図】                        図７
2005238671.tif 000002
【特許請求の範囲】
【請求項１】
版胴を有する版胴ユニットを具備する孔版印刷装置において、
前記版胴ユニットは前記版胴に巻装された製版済みマスタが視認できないように前記版胴を被覆する被覆部材を有することを特徴とする孔版印刷装置。
【請求項２】
請求項１記載の孔版印刷装置において、
前記被覆部材はその一部に開口を有し、前記版胴の円周方向に移動自在であることを特徴とする孔版印刷装置。
【請求項３】
請求項２記載の孔版印刷装置において、
前記被覆部材を移動させる被覆部材移動手段を有し、前記被覆部材移動手段は孔版印刷装置の工程に応じて前記開口の位置を移動させることを特徴とする孔版印刷装置。
【請求項４】
請求項１ないし請求項３のうちの何れか１つに記載の孔版印刷装置において、
前記被覆部材は前記版胴ユニットに対して着脱自在であることを特徴とする孔版印刷装置。
【請求項５】
請求項４記載の孔版印刷装置において、
前記被覆部材を前記版胴ユニットに対して固定する被覆部材固定手段と、前記被覆部材固定手段の作動をロックするロック機構とを有することを特徴とする孔版印刷装置。
【請求項６】
請求項１ないし請求項５のうちの何れか１つに記載の孔版印刷装置において、
前記版胴ユニットが孔版印刷装置本体に対して着脱自在であることを特徴とする孔版印刷装置。
【請求項７】
請求項６記載の孔版印刷装置において、
前記版胴ユニットが前記装置本体から取り外されたときに前記被覆部材の移動を規制する移動規制手段を有することを特徴とする孔版印刷装置。
【発明の詳細な説明】
【技術分野】
【０００１】
本発明は、孔版印刷装置の機密保持技術に関し、詳しくは版胴上に巻装されたマスタの機密を保持するための技術に関する。
【背景技術】
【０００２】
従来の孔版印刷装置では、印刷が終了して原稿を変更した後に次の印刷を行う際に、使用者が製版スタートキーを押すことにより排版手段が版胴から使用済みのマスタを剥離し、製版手段によって新しく製版されたマスタを版胴に自動的に巻装させるように構成されている。これは、印刷終了直後に版胴より使用済みのマスタを剥離すると次の印刷に先立って新しい製版済みマスタが巻装されるまでは版胴の外周が大気に晒された状態で放置されることとなり、この放置状態が長時間に及ぶと版胴の外周面や開孔部に残留したインキが硬化し、次版の印刷に際してマスタへのインキの流動が阻害されて良好な印刷が行われないことがあるため、使用済みのマスタを版胴の外周面上に巻装させておき版胴外周面の乾燥を防止しているのである。
【０００３】
しかし、上述のように使用済みのマスタを版胴に巻装させたまま放置しておくと、印刷装置使用者が交代して製版スタートキーを押さずに印刷スタートキーまたは試し刷りキーを押した場合には、前使用者の原稿がそのまま印刷されてしまう。このことは、原稿の内容が他の使用者に知られては困る内容のものや複製されては困る内容のものであるときに大きな問題となる。
【０００４】
この問題点を解決するため、原稿の機密漏洩を防止する機密保持モードを設け、このモード設定時においては機密原稿を製版したマスタを廃棄すると共に新しい未製版のマスタを版胴に巻装させることにより原稿の機密を保持する技術が「特許文献１」に開示されている。
【０００５】
また、印刷部に原稿をセットした状態でスタートキーを押すと排版動作に続いて製版動作、印刷動作を自動的に行い、原稿をセットしない状態でスタートキーを押すと印刷動作のみを行う孔版印刷装置において、機密保持キーからの入力がメモリーに入力されると、原稿がセットされていない状態では印刷動作を行わないように構成することにより原稿の機密を保持する技術が「特許文献２」に開示されている。
【０００６】
さらに、機密保持を行う機密保持モードを有し、この機密保持モードが設定されたときには印刷動作及び試し刷り動作を禁止して製版動作のみを受け付けると共に、印刷装置本体からの版胴の抜き出しを禁止する技術が「特許文献３」に開示されている。
【０００７】
【特許文献１】特開昭５９−１９８１８５号公報
【特許文献２】特開昭６３−７４６７９号公報
【特許文献３】特開平８−１８３２３８号公報
【発明の開示】
【発明が解決しようとする課題】
【０００８】
「特許文献１」に開示された技術では、機密保持モード時において未製版のマスタを版胴に巻装させるため、マスタが無駄となってコストアップしてしまうという問題点がある。
【０００９】
また通常の孔版印刷装置では、用紙を給紙する給紙部あるいは用紙が排出される排紙部は版胴を有する印刷部と直結されており、しかも多量の用紙を積載する必要があることから広い開口部を有していることが多い。従って、印刷動作や試し刷り動作を禁止している場合であっても装置停止時にこのような開口部から版胴外周面を覗くことができる場合があり、こういった場合には機密が漏洩してしまう。
【００１０】
さらに、最近では色換え等のために版胴を交換する機会が多くなり、このような場合に「特許文献３」に開示された技術では、前使用者が機密保持モードを設定していると版胴の抜き出しが禁止されており、版胴を交換して孔版印刷装置を使用したい次の使用者は前使用者に機密保持モードを解除してもらう必要が生じ、操作性が著しく低下してしまうという問題点がある。
【００１１】
本発明は上述の問題点を解決し、操作性を低下させることなく、版胴上に巻装されたマスタの機密を確実に保持することが可能な孔版印刷装置の提供を目的とする。
【課題を解決するための手段】
【００１２】
請求項１記載の発明は、版胴を有する版胴ユニットを具備する孔版印刷装置において、前記版胴ユニットは前記版胴に巻装された製版済みマスタが視認できないように前記版胴を被覆する被覆部材を有することを特徴とする。
【００１３】
請求項２記載の発明は、請求項１記載の孔版印刷装置において、さらに前記被覆部材はその一部に開口を有し、前記版胴の円周方向に移動自在であることを特徴とする。
【００１４】
請求項３記載の発明は、請求項２記載の孔版印刷装置において、さらに前記被覆部材を移動させる被覆部材移動手段を有し、前記被覆部材移動手段は孔版印刷装置の工程に応じて前記開口の位置を移動させることを特徴とする。
【００１５】
請求項４記載の発明は、請求項１ないし請求項３のうちの何れか１つに記載の孔版印刷装置において、さらに前記被覆部材は前記版胴ユニットに対して着脱自在であることを特徴とする。
【００１６】
請求項５記載の発明は、請求項４記載の孔版印刷装置において、さらに前記被覆部材を前記版胴ユニットに対して固定する被覆部材固定手段と、前記被覆部材固定手段の作動をロックするロック機構とを有することを特徴とする。
【００１７】
請求項６記載の発明は、請求項１ないし請求項５のうちの何れか１つに記載の孔版印刷装置において、さらに前記版胴ユニットが孔版印刷装置本体に対して着脱自在であることを特徴とする。
【００１８】
請求項７記載の発明は、請求項６記載の孔版印刷装置において、さらに前記版胴ユニットが前記装置本体から取り外されたときに前記被覆部材の移動を規制する移動規制手段を有することを特徴とする。
【発明の効果】
【００１９】
本発明によれば、被覆部材が版胴外周面を全て覆っているので、版胴外周面上に巻装された製版済みマスタの内容を視認することができなくなり、製版済みマスタの機密性を保持することができる。
【発明を実施するための最良の形態】
【００２０】
図１は、本発明の一実施形態を採用した孔版印刷装置の概略正面図である。同図において孔版印刷装置１は、印刷部２、製版部３、給紙部４、排版部５、排紙部６、画像読取部７等を有している。
【００２１】
装置本体８のほぼ中央に配設された印刷部２は、版胴１０を有する版胴ユニット９とプレスローラ１１とを有している。プレスローラ１１は一対の揺動アーム１２にその両端を回転自在に支持されており、図示しないプレスローラ揺動手段によって揺動されることで版胴１０の外周面に押圧する位置と版胴１０の外周面より離間する位置とを選択的に占める。版胴ユニット９については後述する。
【００２２】
印刷部２の右上方には製版部３が配設されている。製版部３は、マスタ１３をロール状に巻装してなるマスタロール１３ａを支持する支持部材１４、ステッピングモータ１６によって回転駆動されるプラテンローラ１５、サーマルヘッド１７、ギロチン方式あるいは回転刃移動方式の切断手段１８、マスタ搬送ローラ対１９，２０等を有する周知の構成である。
【００２３】
印刷部２の右下方には給紙部４が配設されている。給紙部４は、用紙Ｐを積載し複数の用紙サイズ検知センサ２２を有する給紙トレイ２１、それぞれ共通の駆動モータ２５によって同期して回転駆動される給紙ローラ２３及び分離ローラ２４、分離ころ２６、レジストローラ対２７等を有する周知の構成である。
【００２４】
印刷部２の左上方には排版部５が配設されている。排版部５は、コンベヤ状の上排版部材２８、版胴１０の外周面に対して接離自在に構成されたコンベヤ状の下排版部材２９、装置本体８に対して着脱自在であり内部に使用済みマスタ３０を収納する排版ボックス３１、使用済みマスタ３０を圧縮する上下動自在な圧縮板３２等を有する周知の構成である。
【００２５】
印刷部２の左下方には排紙部６が配設されている。排紙部６は、版胴１０の外周面より印刷済みの用紙Ｐを剥離する剥離爪３３、剥離爪３３によって剥離された印刷済みの用紙Ｐを搬送する吸着コンベヤ型の排紙搬送部材３４、上面に印刷済みの用紙Ｐを積載する排紙トレイ３５等を有する周知の構成である。
【００２６】
装置本体８の上部には画像読取部７が配設されている。画像読取部７は、原稿を載置するコンタクトガラス３６、蛍光灯３７及び各ミラー３８，３９等を有しコンタクトガラス３６に沿って移動する走査ユニット４０、レンズ４１、ＣＣＤ等の画像センサ４２等を有する周知の構成であり、その上部にはＡＤＦユニット４３が配設されている。
【００２７】
版胴ユニット９は、図２に示すように、版胴１０（図示せず）、ユニット上板４４、版胴１０を回転自在に支持する一対のユニット側板４５（手前側のみ図示）等を有しており、その外周面には被覆部材４６が設けられている。また、装置奥側に位置するユニット側板４５（図示せず）には、版胴ユニット９に電力を供給する図示しないバッテリが設けられている。
【００２８】
ユニット上板４４の上面には、版胴ユニット９を持ち運ぶ材に使用される取っ手４７とロック機構として機能する操作パネル４８とが配設されている。取っ手４７は起倒可能に設けられており、版胴ユニット９が装置本体８に装着される際に倒伏位置を占め、版胴ユニット９が装置本体から取り外されて持ち運ばれる際に起立位置を占める。操作パネル４８は、テンキー、クリアキー、セットキー、ロックキー、液晶表示部等を備えており、被覆部材４６の固定及び固定解除に用いられる。この機能については後述する。
【００２９】
各ユニット側板４５のうち、装置前側に位置するユニット側板４５には、版胴ユニット９を装置本体８から引き出す際に使用される取っ手４９、インキパック５０、版胴ユニット９が装置本体８に取り付けられた際に装置本体８側から版胴ユニット９側に信号を供給するためのコネクタ５１等が配設されている。版胴ユニット９は、版胴１０が所定のホームポジションを占めたときにのみ装置本体８からの取り外しが可能となるように構成されている。インキパック５０内のインキは図示しないインキポンプによって版胴１０の内部へと送られ、インキ供給パイプを兼ねた支軸５２を介してインキローラ５３とドクターローラ５４との近接部に形成されるインキ溜まり５５（それぞれ図１参照）に供給される。
【００３０】
被覆部材４６は、図３に示すように、固定部材５６とスライド部材５７とから構成されている。中央部が開口された薄い板金製の固定部材５６は、版胴１０の外径よりも一回り大きいほぼ相似形状を呈しており、版胴１０がその内部において自由に回転可能である形状に形成されていて、その端部４箇所には鈎状の係止片５６ａがそれぞれ配設されている。各係止片５６ａは、図４に示すように、ユニット上板４４に取り付けられた４個のキープソレノイド５８のプランジャ５８ａに取り付けられた係合ピン５９に対してそれぞれ係合可能に構成されている。被覆部材４６は、固定部材５６の各係止片５６ａがユニット上板４４に対する所定位置にセットされた状態で操作パネル４８のロックキーが押下されることにより、各キープソレノイド５８が作動して各係合ピン５９がロック側に移動することでユニット上板４４に対して固定される。また、固定された状態から操作パネル４８のテンキーにより暗証番号が入力された後にセットキーが押下されることにより、各キープソレノイド５８が作動して各係合ピン５９がロック解除側に移動することで固定状態が解除される。上述の構成より、操作パネル４８によってロック機構が、キープソレノイド５８によって被覆部材固定手段がそれぞれ構成される。
【００３１】
固定部材５６に形成された開口は、そのマスタ幅方向における長さがマスタ１３の幅よりも大きくなるように、版胴円周方向における長さがユニット上板４４に装着されたときに版胴１０の外周面が全て見える大きさとなるようにそれぞれ設定されている。
【００３２】
薄い板金製あるいは樹脂製のスライド部材５７は、図５に示すように、その両側縁部に断面コ字形状の係合部５７ａを有している。固定部材５６の中央に設けられた開口の縁部には、各係合部５７ａと対応して複数の摺動部材６０が配設されている。摺動部材６０は、固定部材５６に固定されたブラケット６０ａと２個のベアリング６０ｂ，６０ｃとから構成されており、各係合部５７ａがベアリング６０ｂを包み込むことが可能となるように構成されている。これにより、固定部材５６の開口に沿ってスライド部材５７が版胴１０の円周方向に移動自在に構成されている。さらに、スライド部材５７の装置奥側に位置する係合部５７ａの近傍には、係合部５７ａよりも高い位置に突出して図３に示すように内刃歯車であるギヤ部５７ｂが設けられている。ギヤ部５７ｂは、被覆部材４６が取り付けられた状態で版胴ユニット９が装置本体８に装着されたときに、装置本体８側に配設された被覆部材移動手段としてのステッピングモータ６１の出力軸に取り付けられたピニオン６２と噛合するように構成されている。スライド部材５７の大きさは、固定部材５６の開口よりも一回り大きく、所定の位置で固定部材５６の開口を全て覆うことが可能な大きさに設定されている。
【００３３】
さらに固定部材５６の装置奥側には図６に示すようにブラケット６３が取り付けられており、このブラケット６３には移動規制手段としてのロック片６４が揺動自在に支持されている。ロック片６４は、その一端６４ａがギヤ部５７ｂの谷部に対して嵌合可能な形状に形成されており、その他端６４ｂは装置奥側に位置するユニット側板４５に設けられた図示しない開口から版胴ユニット９の外部に延出していて、被覆部材４６が取り付けられた状態で版胴ユニット９が装置本体８に装着されたときに、装置本体８の奥側に設けられた側板６５に他端６４ｂが当接してロック片６４が揺動するように構成されている。ロック片６４の他端６４ｂ近傍には一端をブラケット６３に取り付けられた引張ばね６６の他端が取り付けられており、ロック片６４は、他端６４ｂが側板６５に当接していない状態、すなわち版胴ユニット９が装置本体８から取り外されたときに一端６４ａがギヤ部５７ｂに嵌合するように構成されている。この構成より、被覆部材４６が取り付けられた状態で版胴ユニット９が装置本体８から取り外されたときに、一端６４ａがギヤ部５７ｂに嵌合することでスライド部材５７の固定部材５６に対する移動が禁止され、この状態から版胴ユニット９が装置本体８に装着されると、他端６４ｂが側板６５に当接してロック片６４が揺動され、一端６４ａとギヤ部５７ｂとの嵌合状態が解除されることで、スライド部材５７の固定部材５６に対する移動が許容される。
【００３４】
上述の構成に基づき、以下に孔版印刷装置１の動作について説明する。  
孔版印刷装置１の初期状態において、版胴１０はその外周面に設けられたクランパ６７が左上方に位置する、図７（ａ）に示すホームポジションを占めている。この状態において装置本体８に対する版胴ユニット９の着脱が可能となっており、スライド部材５７は版胴１０の外周面全てを覆っている。このとき、スライド部材５７の両端部間に形成される開口は、ユニット上板４４によって覆われる位置を占めている。
【００３５】
オペレータによりコンタクトガラス３６上に原稿が載置された後、孔版印刷装置１の図示しない操作パネルに設けられた図示しない製版スタートキーが押下されると、版胴１０の外周面上から使用済みマスタ３０を剥離する排版動作が行われる。図示しない製版スタートキーが押下されると、版胴１０が図１において時計回り方向に回転を開始し、クランパ６７が排版部５と対応する排版位置に達したと制御手段６８（図１参照）が判断すると、版胴１０の回転が停止される。
【００３６】
その後、制御手段６８からステッピングモータ６１に作動信号が送られ、ステッピングモータ６１が作動してスライド部材５７が移動される。そして開口５７ｃが排版位置に対応した図７（ｂ）に示す位置に達したと制御手段６８が判断すると、ステッピングモータ６１の作動が停止されてスライド部材５７の移動が停止された後、図示しない開閉手段が作動してクランパ６７が開放される。
【００３７】
クランパ６７が開放された後、下排版部材２９が移動されて版胴外周面上の使用済みマスタ３０に接触し、下排版部材２９の作動により使用済みマスタ３０の端部がすくい上げられる。すくい上げられた使用済みマスタ３０は下排版部材２９と上排版部材２８とで挟持搬送され、排版ボックス３１内に収納された後に圧縮板３２によって圧縮される。
【００３８】
排版動作が完了すると、図示しない開閉手段が作動してクランパ６７が閉じられた後に版胴１０が図１において時計回り方向に回転し、クランパ６７が製版部３と対応する給版位置に達したと制御手段６８が判断すると、版胴１０の回転が停止される。
【００３９】
その後、制御手段６８からステッピングモータ６１に作動信号が送られ、ステッピングモータ６１が作動してスライド部材５７が移動される。そして開口５７ｃが給版位置に対応した図７（ｃ）に示す位置に達したと制御手段６８が判断すると、ステッピングモータ６１の作動が停止されてスライド部材５７の移動が停止された後、図示しない開閉手段が作動してクランパ６７が開放される。
【００４０】
排版動作と並行して画像読取部７では原稿画像の読取動作が行われる。製版スタートキーが押下されると走査ユニット４０が移動して原稿画像が読み取られ、読み取られた画像はレンズ４１で集束された後に画像センサ４２に送られ、図示しないＡ／Ｄ変換器で変換されて画像データ信号となる。生成された画像データ信号は、サーマルヘッド１７を駆動する図示しないサーマルヘッドドライバに送られる。
【００４１】
版胴１０が給版位置で停止した後にクランパ６７が開放されると製版動作が開始される。プラテンローラ１５及び各マスタ搬送ローラ対１９，２０が回転駆動されると共にサーマルヘッド１７が作動し、マスタ１３に対する加熱溶融穿孔製版が行われる。製版された製版済みマスタ１３は、プラテンローラ１５及び各マスタ搬送ローラ対１９，２０によって搬送され、やがてその先端が開放されたクランパ６７に到達する。
【００４２】
ステッピングモータ１６のステップ数より製版済みマスタ１３の先端部がクランパ６７に到達したと制御手段６８が判断すると、図示しない開閉手段が作動してクランパ６７が閉じられる。その後、製版済みマスタ１３の搬送速度と同じ周速度で版胴１０が回転駆動され、版胴１０に対する製版済みマスタ１３の巻装動作が行われる。そして、ステッピングモータ１６のステップ数より１版分の製版済みマスタ１３が製版されたと制御手段６８が判断すると、プラテンローラ１５及び各マスタ搬送ローラ対１９，２０の作動が停止されると共に切断手段１８が作動して製版済みマスタ１３が切断される。切断された製版済みマスタ１３は版胴１０の回転によって製版部３より引き出されて版胴１０の外周面上に全て巻装される。
【００４３】
製版動作及び巻装動作が完了すると、版胴１０がホームポジションで停止された後、ステッピングモータ６１が作動してスライド部材５７が移動される。そして開口５７ｃがプレスローラ１１と対応する図７（ｄ）に示す位置に達したと制御手段６８が判断すると、ステッピングモータ６１の作動が停止されてスライド部材５７の移動が停止される。
【００４４】
ステッピングモータ６１の作動が停止されると、駆動モータ２５の作動により給紙ローラ２３及び分離ローラ２４が作動して給紙トレイ２１上より１枚の用紙Ｐが給送されると共に、版胴１０が低速で図１において時計回り方向に回転を開始する。分離ローラ２４及び分離ころ２６によって分離給送された用紙Ｐはレジストローラ対２７において一時停止された後、所定のタイミングで版胴１０とプレスローラ１１との間に向けて給送される。
【００４５】
給送された用紙Ｐはプレスローラ１１によって版胴１０の外周面に押圧され、この押圧によりインキローラ５３によって版胴１０の内周面に供給されたインキが版胴１０を構成する図示しない多孔性支持板及び製版済みマスタ１３の多孔性支持体に行き渡った後、製版済みマスタ１３の穿孔部を介して用紙Ｐに転写されて版付けが行われる。インキを転写された用紙Ｐは剥離爪３３によって版胴１０の外周面より剥離され、排紙搬送部材３４によって搬送されて排紙トレイ３５上に排出されて版付け動作が完了する。
【００４６】
版付け動作完了後、各種印刷条件がオペレータにより入力された後に図示しない操作パネル上の図示しない印刷スタートキーが押下されることにより、給紙部４より版付け時と同様に用紙Ｐが連続的に給送され、設定された印刷速度に応じて版胴１０が回転駆動されることにより印刷動作が行われる。そして、設定された印刷枚数に応じた印刷動作が完了すると、版胴１０がホームポジションに戻された後、ステッピングモータ６１が作動してスライド部材５７がホームポジションに対応した図７（ａ）に示す位置を占め、孔版印刷装置１は再び待機状態となる。
【００４７】
孔版印刷装置１が待機状態であるときには、装置本体８からの版胴ユニット９の取り外しが可能である。この場合、図７（ａ）に示すようにスライド部材５７が版胴１０の外周面を全て覆っており、さらに上述したように版胴ユニット９を装置本体８から取り外すとロック片６４がギヤ部５７ｂに嵌合してスライド部材５７の移動が禁止されるので、版胴１０の外周面上に巻装された製版済みマスタ１３の内容を視認することができなくなり、製版済みマスタ１３の機密性を保持することができる。
【００４８】
また、操作パネル４８から暗証番号を入力しない限り版胴ユニット９から被覆部材４６を取り外すことができないので、版胴１０の外周面上に巻装された製版済みマスタ１３の機密性を保持することができる。また、操作パネル４８を操作することにより版胴ユニット９からの被覆部材４６の取り外しが可能であり、さらにホームポジションにおいて版胴１０上のクランパ６７が手動で開放可能な位置にあるため、版胴１０の外周面上で製版済みマスタ１３のジャムが発生した場合にもその対処を簡単に行うことができる。
【００４９】
上記実施形態では、被覆部材固定手段としてキープソレノイド５８を、ロック機構として操作パネル４８をそれぞれ用いる例を示したが、被覆部材固定手段としてユニット上板４４に対して被覆部材４６を係合させる揺動自在な係合片を用い、この係合片の揺動を許容及び禁止する鍵等をロック機構として用いる構成としてもよい。
【図面の簡単な説明】
【００５０】
【図１】本発明の一実施形態を採用した孔版印刷装置の概略正面図である。
【図２】本発明の一実施形態に用いられる版胴ユニットを説明する斜視図である。
【図３】本発明の一実施形態に用いられる被覆部材を説明する概略図である。
【図４】本発明の一実施形態に用いられる被覆部材のロック機構を説明するための概略図である。
【図５】本発明の一実施形態に用いられる固定部材とスライド部材との構成を説明する（ａ）概略斜視図（ｂ）概略側面図である。
【図６】本発明の一実施形態に用いられるスライド部材の移動規制手段を説明するための概略図である。
【図７】本発明の一実施形態における孔版印刷装置の各工程と被覆部材の開口の位置とを説明するための概略図である。
【符号の説明】
【００５１】
１  孔版印刷装置
８  装置本体
９  版胴ユニット
１０  版胴
１３  製版済みマスタ
４６  被覆部材
４８  ロック機構（操作パネル）
５７ｃ  開口
５８  被覆部材固定手段（キープソレノイド）
６１  被覆部材移動手段（ステッピングモータ）
６４  移動規制手段（ロック片）
【図１】
2005238671.tif 000003
【図２】
2005238671.tif 000004
【図３】
2005238671.tif 000005
【図４】
2005238671.tif 000006
【図５】
2005238671.tif 000007
【図６】
2005238671.tif 000008
【図７】
2005238671.tif 000009